(57)【要約】【課題】外観的に美麗で、訴求効果に優れ、実用時においても興趣性に富んだ使用態様を選択できる流し台用水切り袋の袋詰め包装体を提供する。【解決手段】  包装用袋３の少なくとも表面側の一部に全幅に亘って透明窓部４が設けられると共に、相互に色彩を異にした複数種類の水切り袋２の同一色の複数枚の水切り袋が重ね合わされ、かつ捲回または折畳まれて個々に１単位づつの袋群２Ａ〜２Ｅに構成され、相互に異色の複数の袋群が前記包装用袋３内に前記透明窓４からすべての袋群２Ａ〜２Ｅを透視外観しうる配置態様で並べて収容されたものとなされている。【選択図】  図１
2008239189.tif 000002
【特許請求の範囲】
【請求項１】
輸送・販売のための多数枚の水切り袋を包装用袋内に収容した水切り袋の袋詰め包装体において、
前記包装用袋は、少なくとも表面側の一部に全幅に亘って透明窓部が設けられると共に、
前記水切り袋は、相互に色彩を異にした複数種類の水切り袋を含み、同一色の複数枚の水切り袋が重ね合わされかつ捲回または折畳まれて個々に１単位づつの袋群に構成され、
相互に異色の複数の袋群が前記包装用袋内に前記透明窓からすべての袋群を透視外観しうる配置態様で並べて収容されていることを特徴とする流し台用水切り袋の袋詰め包装体。
【請求項２】
各袋群は、複数枚の水切り袋を重ね合わせた状態で一端側または一側縁側から捲回した捲回物に構成され、この捲回物からなる相互に異色の袋群が並列配置に並べて包装用袋内に収容されている請求項１に記載の流し台用水切り袋の袋詰め包装体。
【発明の詳細な説明】
【技術分野】
【０００１】
この発明は、台所の流し台の排水口内のストレーナや、流し台の隅に設置される水切りかご等の内側にセットして使用されるゴミ濾し取り用の水切り袋を、輸送、店頭陳列、販売保管等のために包装用袋内に所定枚数収容した袋詰め包装体に関する。
【背景技術】
【０００２】
台所用の水切り袋は、特許文献１に示されるように一般に合成繊維フィラメントによるネット地をもって袋状に形成されたものであり、各家庭等で使用に供されるまでの流通過程では、１０枚入り、２５枚入り、３０枚入り等の各種の単位で包装用袋内に収容した袋詰め包装体として流通に供されている。
【特許文献１】特許第３４１３３９１号公報
【０００３】
従来、このような袋詰め包装体は、ポリエチレン、ポリプロピレン等の合成樹脂製の包装用袋内に、単に所定数枚の水切り袋を重ね合わせ状態にして収容したものとなされていたにすぎない。
【０００４】
このため、中身の水切り袋を透視外観出来るような袋詰め状態とするときは、例えば販売のための店頭陳列状態において見栄えがせず、訴求力に乏しいものとなる一方、包装用袋に美麗な化粧印刷を施した中身の見えないようなものとするときは、購買者が中身の商品の具体的な構成態様を視覚確認することができないため、購買商品に錯誤を生じるおそれがあるというような難点があった。
【発明の開示】
【発明が解決しようとする課題】
【０００５】
この発明は、包装状態において外観的に体裁が良く、カラフルで購買者に対する訴求力を向上しうると共に、使用時において包装用袋内の水切り袋の残数告知性に優れていて買足し時期の失念防止に役立ち、かつ楽しみつつ使用することができる興趣性にも優れた流し台用水切り袋の袋詰め包装体を提供することを目的とする。
【課題を解決するための手段】
【０００６】
本発明は、上記のような課題のもとに、その解決手段として下記の構成を提示するものである。
【０００７】
即ち、本発明に係る流し台用水切り袋の袋詰め包装体は、輸送・販売のための多数枚の水切り袋を包装用袋内に収容した水切り袋の袋詰め包装体であって、前記包装用袋は、少なくとも表面側の一部に全幅に亘って透明窓部が設けられると共に、前記水切り袋は、相互に色彩を異にした複数種類の水切り袋を含み、同一色の複数枚の水切り袋が重ね合わされかつ捲回または折畳まれて個々に１単位づつの袋群に構成され、相互に異色の複数の袋群が前記包装用袋内に前記透明窓からすべての袋群を透視外観しうる配置態様で並べて収容されていることを特徴とするものである。
【０００８】
好ましい構成態様において、上記各袋群は、複数枚の水切り袋を重ね合わせた状態で一端側または一側縁側から捲回した捲回物に構成され、この捲回物からなる相互に異色の袋群が並列配置に並べて包装用袋内に収容されたものとなされる。
【発明の効果】
【０００９】
本発明の水切り袋の袋詰め包装体は、収容物である水切り袋が、相互に異色の複数種類のものを含む。しかも、袋詰め包装状態において、同一色の複数枚の水切り袋が個々に１単位づつの袋群に構成されていて、包装用袋に設けられた透明窓部から、すべての異色の袋群が外観的に透視しうるものとなされている。
【００１０】
従って、店頭陳列状態において従来品には見られなかったような、廃棄汚物を扱う水切り袋でありながらカラフルで美しく、かつ楽しい雰囲気を醸し出すことができ、購買者の目を惹き、その購買意欲を刺激する優れた訴求効果を実現することができる。
【００１１】
そしてまた、使用時においては、例えば１日毎にあるいは所定の日数毎に、流し台のストレーナにセットして使用する水切り袋の色を変えて使用することができ、それによって実使用期間の管理を行い易いものとすることができる。具体例として、例えば７色の水切り袋群が袋詰めされた包装体において、使用に際して、１日毎に毎回、順次異色のものに取替えて１週間使用する「使用サイクル」を設定することによって、曜日と使用色との整合によって確実に１日１回の取替えを促すことができ、楽しみながら興趣性に富んだ使用方法を演出することができる。
【００１２】
更にまた、包装用袋内に複数色の水切り袋の収容状態が確認できるときには、未だ少なくとも複数枚の未使用の水切り袋が残っていることを簡単に視覚的に知ることができる一方、これが例えば１色の状態になったときには、少なくとも残数が同一色の単位袋群の積層枚数以下の枚数に減少していること、即ち残数が少なくなっていることを確実に知ることができるから、買い足し時期を失念してしまう事態の発生を予防できる効果も期待しうる。
【００１３】
更にまた、同一色の水切り袋の各袋群を捲回物に構成し、これを包装用袋内に並列配置に並べて収容したものとするときは、従来の水切り袋の袋詰め包装体には見られなかった独特の外観デザインのものとなり、訴求効果の向上に一層資することができると共に、水切り袋の１枚づつの取出し操作も行い易いものとなり、更には残数確認も一層容易かつ確実に行い易いものとなしうる。
【発明を実施するための最良の形態】
【００１４】
次に、この発明の好ましい実施形態につき、添附図面を参照して以下説明する。
【００１５】
図１〜２において、（１）は輸送・販売・保管等の為に多数枚の水切り袋（２）を包装用袋（３）内に収容した水切り袋の袋詰め包装体を示す。
【００１６】
水切り袋（２）は、図４に示すように、複数のプラスチック製のモノフィラメントが互いに交差して接合された規則的な網目構造の筒状ネット地によって構成されたものであり、底部が溶着部（２ａ）で接合封止されることにより、所定高さと幅（周囲長）をもった有底筒状の袋体に構成されている。
【００１７】
この水切り袋は、合成繊維フィラメント糸を用いて、筒状に縞立てた編成メッシュ地によって構成したものであっても良い。
【００１８】
ところで、上記水切り袋（２）は、図３に図解的に分かり易く示すように、相互に異色の複数種類の水切り袋（２）を含んでいる。例えば図４に示すように、「赤」「青」「黄」「緑」「白」の色相を異にした複数種類の水切り袋（２）を含んだものとなされている。この色は、いずれも淡色系のものとする方が、外観的に衛生感があって好ましい。
【００１９】
そして、同一色の複数枚の水切り袋（２）が、例えば１０枚づつの単位で、個々に袋群（２Ａ）（２Ｂ）（２Ｃ）（２Ｄ）（２Ｅ）を構成している。この袋群（２Ａ）〜（２Ｅ）は、複数枚の水切り袋（２）が重ね合わされ、そして図５に示すように一側縁部から巻き込まれることによって、捲回物に構成されている。
【００２０】
一方、包装用袋（３）は、ポリエチレン、ポリプロピレン等の合成樹脂フィルムないしシートからなる一般的な商品包装用の袋であるが、少なくとも表面側の一部に、全幅に亘って内部を透視可能とする横長長方形状の透明窓（４）が設けられている。この透明窓（４）は、製袋材料に透明フィルムないしはシートが用いられ、窓部以外の部分に不透明な化粧印刷層や印刷表示（５）が設けられることによって部分的に形成されたものである。
【００２１】
而して、前記水切り袋（２）の捲回物からなる各袋群（２Ａ）〜（２Ｅ）は、並列状態に並べた状態で、包装用袋（３）内に収容されている。従って、包装用袋の表面側の全幅に亘って設けられた透明窓（４）に、相互に異色の袋群（２Ａ）〜（２Ｅ）のすべてが臨むものとなされている。即ち、相互に異色の複数の袋群のすべてが、図１に示すように透明窓（４）から透視外観可能なものとなされている。
【００２２】
上記の水切り袋の袋詰め包装体（１）は、包装用袋（２）の表面側から購買者に見えるようにして店頭展示、ないし陳列される。そして、購買者は、使用に際しては、包装用袋（３）から任意の色の水切り袋（２）を１枚づつ取り出して使用する。この際、同じ色のものから順に使うこともあるし、取替える度に異なる色のものを使うものとしても良い。いずれの場合にあっても、包装用袋（３）内に残っている水切り袋（２）が、１色あるいは少ない色数のものになった時点では、そのことから未使用の水切り袋（２）の残数が少なくなっていることを知ることができるから、買足し時期を失念してしまうことが少なくなり好都合である。
【００２３】
なお、袋群（２Ａ）〜（２Ｅ）は、捲回物とする代わりに、折畳み状態のものに構成しても良い。
【図面の簡単な説明】
【００２４】
【図１】この発明に係る水切り袋の袋詰め包装体の全体斜視図である。
【図２】図１のII−II線の断面図である。
【図３】水切り袋の異色の袋群の袋詰め態様を示す説明図である。
【図４】袋群を構成する１単位の水切り袋の積層状態を示す斜視図である。
【図５】袋群の断面図である。
【符号の説明】
【００２５】
１…水切り袋の袋詰め包装体
２…水切り袋
２Ａ〜２Ｅ…袋群
３…包装用袋
４…透明窓
５ａ…印刷層
【図１】
2008239189.tif 000003
【図２】
2008239189.tif 000004
【図３】
2008239189.tif 000005
【図４】
2008239189.tif 000006
【図５】
2008239189.tif 000007